(57)【要約】【課題】屋根自体となり、または屋上に設置ができ、良好な水質が得られ、蒸発による貯水量の減少を防ぎ、動力を使わずに運用でき、維持管理の負担を軽減する、経済的な雨水貯留設備および雨水貯留屋根を提供する。【解決手段】雨水を受け止めかつろ過する機能を備えたろ過層３を上面に位置し、その下にろ過した雨水を貯める貯留槽８を位置させ、貯留した水の上部に空気と水分を透過し難い浮き蓋２を位置させて構成する。【選択図】図１
2008075435.tif 000002
【特許請求の範囲】
【請求項１】
雨水を受け止めかつろ過する機能を備えたろ過層を上面に位置し、
その下にろ過した雨水をためる貯留槽を位置させ、
貯留した水の上部に空気と水分を透過し難い浮き蓋を位置させて構成する、
雨水貯留設備。
【請求項２】
雨水を受け止めかつろ過する機能を備えたろ過層を上面に位置し、
その下にろ過した雨水をためる貯留槽を位置させ、
貯留した水の上部に空気と水分を透過し難い浮き蓋を位置させて構成する、
雨水貯留屋根。
【請求項３】
受け止めた雨のうち、貯留槽を通過する水量の割合を調整可能に構成した、
請求項１記載の雨水貯留設備および請求項２記載の雨水貯留屋根。
【請求項４】
貯留槽の最低水量維持および、補給水の水量を調整可能に構成した、
請求項１記載の雨水貯留設備および請求項２記載の雨水貯留屋根。
【請求項５】
屋根の上面から屋根の下面の間の断熱性を調整可能に構成した、
請求項２記載の雨水貯留屋根。
【請求項６】
ろ過層、浮き蓋、貯留した水により、耐火性能を調整可能に構成した、
請求項２記載の雨水貯留屋根。
【発明の詳細な説明】
【発明の詳細な説明】
【技術分野】
【０００１】本発明は雨水貯留設備と雨水貯留屋根に関するものである。
【背景技術】
【０００２】従来の雨水設備は、雨を受けとめる部分とろ過する部分と貯留する部分が分離されている。従来の屋根は、一般に雨水を貯留していない。
【発明が解決しようとする課題】
【０００３】＜１＞  雨水を貯めて活用する際には、集水面、ろ過装置、タンクなどの各種の設備と、それらを設置するスペースが必要であった。
＜２＞  雨水関連設備の一つである従来の雨水タンクは、水面が空気に触れており、飛来物や空気中の微生物による汚染の度合いが高く、また蒸発量が多く、貯留量の減少を招いていた。
＜３＞  従来の雨水貯留設備は、電気等の資源エネルギーの消費を伴い、地震や火災のときなどの非常時の雨水活用に不向きであった。
＜４＞  従来の屋根は、外気に開放した状態の雨を集めかつ捨てていたため、飛来した落ち葉等が樋に詰まり維持管理に負担をかけていた。
＜５＞  従来の屋根は、断熱性能を断熱材のみで確保しており、屋根の他の構成部品にも断熱性能を分担させていなかった。
＜６＞  従来の屋根は、コンクリート等の重い素材で耐火性能を確保することが多かった。
【課題を解決するための手段】
【０００４】＜１＞本雨水貯留設備および雨水貯留屋根は、集水面、ろ過装置、タンク等が一つにまとまった機構である。したがって、従来のもののように設置スペースを要求しない。
＜２＞本雨水貯留設備および雨水貯留屋根は、貯留した水の表面に空気を流通させにくい浮き蓋があり、水が空気に触れる面積を最小限におさえ、空気中の浮遊物や微生物類などが水に混入することをおさえ、同時に蒸発する水の量を最小限にすることにより、水質と水量を保持する性能を有する。
＜３＞本雨水貯留設備および雨水貯留屋根は屋上や建物上部に位置させることができるので、いずれも、重力により貯留され、重力により下階に供給される。また余剰分は重力により排水されるのでポンプを必要としない。したがって、電力等のエネルギーを使用しない省エネの機構であり、非常時に、雨水を活用する場合には、非常用電源を必要としない確実な機構である。
＜４＞雨は雨水貯留設備および雨水貯留屋根の最上面を形成しているろ過層で受け止められ、ろ過され、外部に開放していない貯留槽の内部に導かれて集められ、余剰分は排水される。したがって、その過程で落ち葉等の飛来物が混入することが無く、従来の屋根の課題であった、落ち葉等の飛来物による詰まりという問題を発生させない。
＜５＞ろ過層自体に遮熱・断熱性能があり、浮き蓋にも断熱性がある。さらに、ろ過層と浮き蓋の間には空気層が保たれるため、これらの複合により、本雨水貯留屋根は高い断熱性能が得られる。用途に応じ適切な断熱性能を有するように調整することも可能である。又、本雨水貯留屋根を使用すると、従来の屋根のように屋根下や天井上に厚い断熱材を付加する必要がない。
＜６＞屋根の最上面のろ過層の素材は、不燃性と耐火性能に優れる。貯留槽は板材で構成されるが、水をためているため、１００度以上に上昇することをおさえられ、耐火性に優れる。したがって、本雨水貯留屋根は極めて高い耐火性能を有し、必要に応じ耐火性能を調整できる。水の比重はコンクリートの比重の約２／５であり、ろ過層の素材の比重も軽いため、従来のコンクリートの屋根に比べて、極めて軽く耐火性能を有することができる。
【発明を実施するための最良の形態】
【０００５】以下図面にもとづく本発明の一実施例を説明する。【０００６】＜イ＞雨水貯留設備の構成。
皿状の貯留槽８を建物の上部や地上に位置させる。
その貯留槽８の内部に、浮き蓋２を位置させ、上部から雨水が流れ込む隙間だけを残して、常に貯留した水の水面を覆う。
その貯留槽８の最上部には、ろ過層３を位置させ、降ってきた雨を受けとめてろ過するのと同時に、貯留した水が外気に開放されないようにする。
ろ過層３と浮き蓋２の間に空気層４を確保することにより、ろ過した雨水を貯留槽内に導入し浮き蓋２の下に貯留できるように構成されている。【０００７】＜ロ＞雨水貯留屋根の構成
建物内部への雨水の侵入を防ぎかつ貯留できる防水性のある皿状の貯留槽８を建物の上部に位置させる。その貯留槽８の内部に、浮き蓋２を位置させ、上部から雨水が流れ込む隙間だけを残して、常に貯留した水の水面を覆う。
その貯留槽８の最上部には、ろ過層３を位置させ、降ってきた雨を受けとめてろ過するのと同時に、貯留した水が外気に開放されないようにする。
ろ過層３と浮き蓋２の間に空気層４を確保することにより、ろ過した雨水を貯留槽内に導入し浮き蓋２の下に貯留できるように構成されている。【０００８】＜イ＞ろ過層３
ろ過層３は、たとえば、素材を発泡セラミックとすることができる。それは無機質であり、加熱形成しているため耐久性、対候性、耐火性にすぐれる。そして連続発泡体で、特にろ過方向に直交する方向への連続性が強い。したがって初期雨水を横方向に排除し、その後に、フィルター層内に約１／２含水した状態から本格的なろ過がはじまり、ろ過層３を通過し滴り落ちる。したがって初期雨水排除量を調整できる。発泡体の保水性能が高いため、長期間ろ過層内に水が保たれるので、微生物により有機物が分解され、目詰まりの問題は発生しない。メンテナンスのために、取り外し、取替えが容易にできる。
このろ過層３の組成と厚さを調整することにより本機構の断熱性、耐火性を調整することができる。【０００９】＜ロ＞浮き蓋２
比重が水より小さく、通気性透湿性の低い浮き蓋２は、常に水面に浮いた状態で、上部から雨水が浮き蓋２の下に流れ込む隙間だけ残して、水面全面を覆う。これにより上部の空気中の浮遊物や微生物が下部の水面に接触することを押さえ、かつ水面からの蒸発を抑え、貯留水量の減少を抑え、貯留水質の維持を図る。浮き蓋２は貯留水量の変動にしたがって上下する。この浮き蓋２に断熱性能を持たせ本機構全体の断熱性能を調整することができる。【００１０】＜ハ＞貯留槽８
貯留槽８は防水性のある、不燃性・耐火性の高い板材で構成された皿状のものである。たとえば、金属板で構成することができる。【００１１】＜ニ＞排水口５
最高水位を調整する排水口５を接続する。貯留された水が貯留槽８からあふれないよう、過剰分の雨水は雨水貯留設備および雨水貯留屋根外に排除される。【００１２】＜ホ＞接続口６
貯留した水を供給、分配排水するために接続口６を接続する。最低水位を確保する等のために、接続口６の高さを調整することができる。【００１３】＜ヘ＞補給水口７
貯留された水が減少し不足する可能性がある場合、補給できるように補給水口７を接続する。【００１４】＜ト＞供給口９
貯留した水を様々な用途に使用するために、供給口９を接続する。
【発明の効果】
【００１５】本発明は、上記したようになるため、次のような効果を達成することができる。
屋根の横樋をなくすことができ、落ち葉等の目詰まりの発生をなくすことができる。
雨水を、貯留タンクなど別置せず、水質、水温、水量を保持しながら屋根面内に貯留できる。
通常のコンクリートの屋根に比べ軽量で耐火性能を得る事ができる。
雨水を、動力を用いず重力により下階に供給できる。
非常時にエネルギーなしで防火用水として供給できる。室内にスプリンクラー設備を設置していれば、そこへ供給できる。その他、樹木や花壇への散水、洗濯、洗浄、トイレフラッシュ等の生活用水として雨水を容易に利用できる。
したがって、水道の使用量を削減でき、ダムの維持費、浄水の維持費、配水の維持費等そしてそれに必要なエネルギーを削減でき、地球環境改善に貢献する。
また、既存の屋上屋根の上に載せて雨水の集水機能を併せ持った雨水貯留設備として利用することもできる。
【図面の簡単な説明】
【図１】  最高水位時の説明図
【図２】  最低水位時の説明図
【符号の説明】
１  貯留した水
２  浮き蓋
３  ろ過層
４  空気層
５  排水口
６  接続口
７  補給水口
８  貯留槽
９  供給口
【図１】
2008075435.tif 000003
【図２】
2008075435.tif 000004